(57)【要約】【課題】複数のチューナを常時稼働させる機能を備えたデジタル放送受信装置であって、チューナの磨耗を低減することが可能な送受信装置を提供する。【解決手段】本発明の放送受信装置は、放送波の受信及び選局を行うチューナを複数含む放送受信部と、選局指示を受け付け、選局指示された放送波を受信するよう前記放送受信部を制御する選局制御部とを備える。また、チューナの状態を監視するチューナ監視部を備える。また、複数のチューナを予め定められた順序で停止させるとともに、チューナ監視部の監視結果に基づいて停止順序を変更するチューナ変更部を備える。これにより、複数のチューナのうちの一部のみが磨耗するのを回避する。【選択図】図４
2014045362.tif 000002
【特許請求の範囲】
【請求項１】
放送波の受信及び選局を行うチューナを複数含む放送受信部と、
選局指示を受け付け、選局指示された放送波を受信するよう前記放送受信部を制御する選局制御部と、
前記チューナの状態を監視するチューナ監視部と、
複数の前記チューナを予め定められた順序で停止させ、前記チューナ監視部の監視結果に基づいて前記順序を変更するチューナ変更部と、を備えること
を特徴とするデジタル放送受信装置。
【請求項２】
前記チューナ変更部は、消耗度が高いことが前記チューナ監視部により検出された前記チューナを優先的に停止するよう前記順序を変更すること
を特徴とする請求項１に記載のデジタル放送受信装置。
【請求項３】
前記チューナ監視部は、前記チューナで受信される放送波に含まれる情報の内容を解析することにより該放送波の受信優先度を判別し、
前記チューナ変更部は、前記受信優先度が低い放送波の受信を担当する前記チューナを優先的に停止するよう前記順序を変更すること
を特徴とする請求項２に記載のデジタル放送受信装置。
【請求項４】
前記チューナ変更部は、停止対象とされている前記チューナの稼働指示を検知した場合、または停止対象とされている前記チューナが前記受信優先度の高い放送波を受信することを検知した場合に該チューナを停止させず、該チューナを次回の停止対象決定の際に優先的に停止対象とすること
を特徴とする請求項３に記載のデジタル放送受信装置。
【請求項５】
前記チューナ監視部は、前記受信優先度を決定する際に、放送波の放送局、放送波に含まれる番組の内容、または放送波の受信感度に基づいて前記受信優先度を決定すること
を特徴とする請求項４に記載のデジタル放送受信装置。
【請求項６】
前記チューナ変更部は、前記チューナの稼働率が低いと推定される時間帯において前記チューナを停止させること
を特徴とする請求項５に記載のデジタル放送受信装置。
【請求項７】
前記チューナ監視部は、前記受信優先度または前記時間帯に関する指定を受け付け、前記指定に基づいて前記受信優先度の低い放送波を判別すること
を特徴とする請求項６に記載のデジタル放送受信装置。
【発明の詳細な説明】
【技術分野】
【０００１】
本発明は、放送波を受信するデジタル放送受信装置に関するものであり、特に複数のチューナを備えたデジタル放送受信装置に関する。
【背景技術】
【０００２】
近年、複数のチューナを備えることにより、複数のチャンネルの番組を同時に録画する機能を備えたデジタル放送受信装置が実用化されている。さらには、複数のチューナを連続稼働させることにより、２４時間ほぼ休むことなく録画を行う常時録画機能を備えたデジタル放送受信装置が実用化されている。
【０００３】
しかしながら常時録画機能を使用した場合、レコーダ内が常に発熱する状態になり、部品の劣化が通常よりも速く進むという問題がある。
【０００４】
上記に関連して、再生されない信号を選局しているチューナに対して電源供給を行わないことにより、無駄な消費電力の低減及び装置の長寿命化を図る電源供給制御方法及び電源装置が開示・提案されている（例えば特許文献１を参照）。
【先行技術文献】
【特許文献】
【０００５】
【特許文献１】特開平１０−１０８１１５号公報
【発明の概要】
【発明が解決しようとする課題】
【０００６】
しかしながら上記文献では、受信に使用しないチューナを停止する技術については開示しているが、常時録画機能のように複数のチューナが常に駆動される環境において、平滑磨耗を目的として停止させるチューナを変更する技術については、開示も示唆もなされていない。
【０００７】
本発明は、上記の問題を解決するためになされたものであって、その目的は、複数のチューナを常時稼働させる機能を備えたデジタル放送受信装置であって、チューナの磨耗を低減することが可能な送受信装置を提供することにある。
【課題を解決するための手段】
【０００８】
上記目的を達成するために本発明のデジタル放送受信装置は、放送波の受信及び選局を行うチューナを複数含む放送受信部と、選局指示を受け付け、選局指示された放送波を受信するよう前記放送受信部を制御する選局制御部と、前記チューナの状態を監視するチューナ監視部と、複数の前記チューナを予め定められた順序で停止させ、前記チューナ監視部の監視結果に基づいて前記順序を変更するチューナ変更部と、を備えることを特徴とする。
【０００９】
この構成によると、複数のチューナを常時稼働させるデジタル放送受信装置において、定期的にチューナを停止させる。また、停止対象とするチューナを、チューナの監視結果に基づいて変更する。これにより、複数のチューナのうちの一部のみが磨耗するのを回避することが出来る。
【００１０】
また上記目的を達成するために、前記チューナ変更部は、消耗度が高いことが前記チューナ監視部により検出された前記チューナを優先的に停止するよう前記順序を変更することを特徴とする。
【００１１】
この構成によると、複数のチューナの平滑磨耗をより効率的に行うことができる。
【００１２】
また上記目的を達成するために、前記チューナ監視部は、前記チューナで受信される放送波に含まれる情報の内容を解析することにより該放送波の受信優先度を判別し、前記チューナ変更部は、前記受信優先度が低い放送波の受信を担当する前記チューナを優先的に停止するよう前記順序を変更することを特徴とする。
【００１３】
この構成によると、受信優先度の高い放送波をより確実に受信して録画することができる。
【００１４】
また上記目的を達成するために、前記チューナ変更部は、停止対象とされている前記チューナの稼働指示を検知した場合、または停止対象とされている前記チューナが前記受信優先度の高い放送波を受信することを検知した場合に該チューナを停止させず、該チューナを次回の停止対象決定の際に優先的に停止対象とすることを特徴とする。
【００１５】
この構成によると、受信優先度の高い放送波をより確実に受信して録画することができる。
【００１６】
また上記目的を達成するために、前記チューナ監視部は、前記受信優先度を決定する際に、放送波の放送局、放送波に含まれる番組の内容、または放送波の受信感度に基づいて前記受信優先度を決定することを特徴とする。
【００１７】
この構成によると、ユーザが興味を示すと思われる放送波をより確実に受信して録画することができる。
【００１８】
また上記目的を達成するために、前記チューナ変更部は、前記チューナの稼働率が低いと推定される時間帯において前記チューナを停止させることを特徴とする。
【００１９】
この構成によると、チューナの停止が常時録画に及ぼす影響を低減することができる。
【００２０】
また上記目的を達成するために、  前記チューナ監視部は、前記受信優先度または前記時間帯に関する指定を受け付け、前記指定に基づいて前記受信優先度の低い放送波を判別することを特徴とする。
【００２１】
この構成によると、受信優先度やチューナ停止に都合のよい時間帯をより確実に判別することができる。
【発明の効果】
【００２２】
本発明によれば、複数のチューナのうち特定のチューナのみが劣化することを回避し、チューナの故障率を低減することができる。また、劣化等によりノイズの高いチューナに代わって他の品質の良いチューナを割り当てることで、ユーザに対して品質の良い画像及び音声を提供することができる。
【図面の簡単な説明】
【００２３】
【図１】本発明の一実施形態に係るデジタル放送受信装置の内部構成を示すブロック図である。
【図２】本発明の一実施形態に係る機能部の構成を示すブロック図である。
【図３】本発明の一実施形態に係るローテーション処理を示すフロー図である。
【図４】本発明の一実施形態に係るジャンル選択画面を示す画面図である。
【発明を実施するための形態】
【００２４】
以下に本発明の実施形態を、図面を参照しながら説明する。なお、ここで示す実施形態は一例であり、本発明はここに示す実施形態に限定されるものではない。
【００２５】
〈１．内部構成について〉
図１は、本発明の一実施形態に係るＨＤＤレコーダ１００（＝デジタル放送受信装置）の内部構成を示すブロック図である。図１のブロック図に示すように、本発明のＨＤＤレコーダ１００は、外部接続される装置としてアンテナ１を備えている。
【００２６】
またＨＤＤレコーダ１００は少なくとも、第１チューナ１１ａ、第２チューナ１１ｂ、第３チューナ１１ｃからなるチューナ群１１（＝放送受信部）、復調部１２（＝放送受信部）、操作入力部１３、ＣＰＵ１４、ＲＡＭ１５、ＲＯＭ１６、ＨＤＤ１７、オーディオフィルタ２１、オーディオデコーダ２２、ビデオフィルタ３１、ビデオデコーダ３２、データフィルタ４１、データデコーダ４２、及び出力部５１を備えている。
【００２７】
チューナ群１１は、アンテナ１から地上デジタルＴＶ放送信号を受信し、所望の物理チャンネル（＝周波数帯域）での選局を行う。図１の例では、チューナ群１１には第１チューナ１１ａ〜第３チューナ１１ｃが含まれている。各チューナは、ユーザに選局指示されたチャンネル、または自動録画の対象となっているチャンネルの放送波を受信する。なお各チューナが受信を担当するチャンネルは、固定でもよいし可変でもよい。
【００２８】
復調部１２は、チューナ群１１から入力される選局された信号を復調及びエラー訂正し、ワンセグと１２セグとの、それぞれのＴＳ（Transport Stream）を出力する。復調部１２により復調されたＴＳは、後述するオーディオフィルタ２１、ビデオフィルタ３１、及びデータフィルタ４１に与えられる。
【００２９】
操作入力部１３は、不図示のリモコン、及びリモコン受光部を含む。リモコンには、ＨＤＤレコーダ１００に対して選局指示等を行うための、プッシュボタンやタッチセンサ等が含まれている。また操作入力部１３は、ＨＤＤレコーダ１００のハウジングに設けられたハードキーやタッチパネル等を含む。操作入力部１３は、上記装置のいずれかにより受け付けたユーザ操作に基づく操作信号を生成し、出力する。なお操作入力部１３は、必ずしも上記装置の全てを含む必要はなく、上記装置の一部のみを含む形態でもよい。
【００３０】
ＣＰＵ１４は、各種演算、処理、制御を行う演算処理装置である。ＣＰＵ１４は、ＨＤＤレコーダ１００の各部材の駆動を有機的に制御して、放送受信処理等を統括制御する。ＲＡＭ１５は、ＣＰＵ１４のワークメモリ等に用いられる。ＲＯＭ１６は、ＣＰＵ１４が実行する制御プログラム等を格納する。
【００３１】
ＨＤＤ１７は、デジタルデータを記録する磁気記録媒体である。ＨＤＤ１７は、複数の磁気ディスクを回転させつつ、アクチュエータによりヘッドを移動させることにより、データの記録や読み出しを行う。本実施形態では主に、放送波に含まれる画像／音声データから生成される録画データを記録するのに用いられる。
【００３２】
オーディオフィルタ２１は、復調部１２から出力されたＴＳからオーディオデータのみを抽出する。オーディオデコーダ２２は、抽出されたオーディオデータを復号し、復号したデジタル音声信号を出力部５１へ出力する。
【００３３】
ビデオフィルタ３１は、復調部１２から出力されたＴＳからビデオデータのみを抽出する。ビデオデコーダ３２は、抽出されたビデオデータを復号し、復号したデジタル画像信号を出力部５１へ出力する。
【００３４】
データフィルタ４１は、復調部１２から出力されたＴＳから伝送パラメータ、ＮＩＴ（Network Information Table）、番組情報、データ放送等のデータを抽出する。データデコーダ４２は、抽出されたデータを復号する。復号されたデータは、ＲＡＭ１５等に記録される。
【００３５】
出力部５１は、スピーカ等の音声装置を接続して音声信号を出力するための音声出力端子や、液晶パネル等の表示装置を接続して画像信号を出力するための画像出力端子等を含む。
〈２．機能部の構成について〉
【００３６】
ここで、本発明の一実施形態に係るローテーション処理を実施するための各機能部の関係を、図２の機能ブロック図を用いながら説明する。なお図２においてＣＰＵ１４の内部に図示されている機能ブロックは、ＣＰＵ１４が所定のプログラムを実行することにより実現される機能部を表している。
【００３７】
図２に示すように、本実施形態のサーチ処理は、サーチ部１４ａ（＝選局制御部）、チューナ監視部１４ｂ、及びチューナ変更部１４ｃにより実施される。
【００３８】
サーチ部１４ａは、所定の放送局からの放送波を受信するためのチャンネルサーチ（以下、「サーチ」という）を行う。サーチ部１４ａは、各物理チャンネルの受信状況に応じた選局候補テーブルを作成する。そして選局指示を検知した場合に、指示された放送波の物理チャンネルを選局候補テーブルにより判別し、受信を試行する。受信に成功した場合、この物理チャンネルを用いて放送波の受信を開始する。
【００３９】
受信に失敗した場合、サーチ部１４ａは選局候補テーブルに含まれる未チェックの物理チャンネルを抽出し、受信を試行する。この繰り返しを行い、受信できる物理チャンネルが検知されなかった場合に、サーチに失敗したとみなす。
【００４０】
チューナ監視部１４ｂは、チューナ群１１に含まれる各チューナの状態を監視する。チューナ監視部１４ｂは例えば、各チューナのノイズ状況等から、各チューナの劣化度を監視する。またチューナ監視部１４ｂは、各チューナが受信しているチャンネルにおける画像信号の有無や、そのチャンネルで放送されている番組の内容（例えばジャンル等）を監視する。なお番組の内容は、例えばデータデコーダ４２により得られるＥＰＧデータ等を用いて取得する。
【００４１】
またチューナ監視部１４ｂは、各チューナが受信しているチャンネルで放送されている番組が、ユーザの興味のある番組であるか否かを判定する。この判定を行うためにチューナ監視部１４ｂは、例えばジャンル選択画面（図４）を表示し、ユーザより興味のあるジャンルを受け付けておく。
【００４２】
より具体的には、チューナ監視部１４ｂは、ジャンル選択画面を表示するための画像信号を生成するよう、不図示のＯＳＤ処理部を制御する。そして生成された画像信号を、出力部５１を介して不図示のディスプレイへ出力する。これにより、ジャンル選択画面がディスプレイに表示される。
【００４３】
図４は、ユーザが興味のあるジャンルを指定するためのジャンル選択画面９０の一例を示す画面図である。図４に示すように、ジャンル選択９０には、ジャンル表示ウィンド９１、カーソル９２、及びチェックボックス９３が含まれている。
【００４４】
ジャンル表示ウィンド９１には、放送番組のジャンルが表示される。ジャンル選択画面９０おいて、所定のジャンルにカーソル９２があわせられている状態で操作入力部１３に含まれる決定ボタン（不図示）が押下されると、チェックボックス９３のチェックがオン／オフされる。
【００４５】
図４の例では、スポーツ、アニメ、映画、及びドラマにチェックが入っているため、この４つが興味のあるジャンルとみなされる。一方、バラエティとニュースにチェックが入っていないため、この２つが興味のないジャンルとみなされる。
【００４６】
上記で示した設定が行われると、チューナ監視部１４ｂは、バラエティまたはニュースの放送チャンネルとその放送時間帯を、ＥＰＧ等から判別する。そして判別されたチャンネルの受信を担当するチューナを、チューナ群１１の中から判別する。
【００４７】
チューナ変更部１４ｃは、チューナを停止しても問題が少ないと推定される時間帯、例えば深夜等の時間帯において、チューナ群１１を停止させる。ただしこの際、全てのチューナを停止させるのではなく、少なくとも１チューナは稼働させたまま、他のチューナを停止させる。少なくとも１チューナを残すのは、例えばＥＰＧデータの取得や、緊急放送の受信をできるようにするためである。なお具体的な停止時間としては、高熱による劣化防止が目的であるため、１日あたり１時間程度の停止時間が望ましい。
【００４８】
またチューナ変更部１４ｃは、停止対象とするチューナ（以下、「停止チューナ」という）と、停止対象としないチューナ（以下、「非停止チューナ」という）とを、所定条件に基づいて変更することにより、停止チューナをローテーションさせる。例えば、１回目の停止チューナを第１チューナ１１ａ、２回目の停止チューナを第２チューナ１１ｂ、３回目の停止チューナを第３チューナ１１ｃというように、毎回停止チューナを変更する。
【００４９】
さらにチューナ変更部１４ｃは、チューナ監視部１４ｂによる監視結果に応じて、上記のローテーションを変更する。例えば、劣化しているチューナを優先的に停止チューナとするよう、ローテーションを変更する。或いは、画像信号が無い放送波を受信しているチューナを優先的に停止チューナとする。或いは、ユーザが興味を示さない番組を受信しているチューナを優先的に停止チューナとする。
【００５０】
チューナ変更部１４ｃは、例えばローテーションにおいて次の停止チューナが第１チューナ１１ａであったとしても、第１チューナ１１ａにおいてユーザの興味のある番組（例えば映画）が放送予定であることを検知した場合、第１チューナ１１ａは停止チューナとせず、他のチャンネル用のチューナ（例えば第２チューナ１１ｂ）を停止チューナとする。なお上記の検知は、チューナ監視部１４ｂの監視結果に基づいて行う。
【００５１】
〈３．ローテーション処理について〉
ここで、本発明の一実施形態に係るＨＤＤレコーダ１００が実施する、停止チューナのローテーション処理について、図３のフロー図を用いながら説明する。
【００５２】
本実施形態の処理フローは、ユーザ設定により、停止チューナのローテーションが許可された場合に開始される。具体的には例えば、設定画面において深夜録画設定がオフにされ、深夜時間帯に全チューナを稼働させる必要が無くなった場合に停止チューナのローテーションが許可されたとみなす。
【００５３】
本処理の開始後、チューナ変更部１４ｃはステップＳ１１０において、チューナ群１１に含まれるチューナの停止ローテーションを調べる。
【００５４】
次にチューナ監視部１４ｂはステップＳ１２０において、ローテーションにおいて停止チューナに指定されているチューナ（以下、「チューナＸ」という）が受信するチャンネルに、録画対象となる番組、例えばユーザの興味のあるジャンルの番組があるか否かを判定する。
【００５５】
録画対象となる番組がない場合、後述するステップＳ１６０へ移行する。録画対象となる番組がある場合、チューナ監視部１４ｂはステップＳ１３０において、ローテーションにおいて停止チューナに割り振られていないチューナ（以下、「チューナＹ」という）が受信するチャンネルに、録画対象となる番組があるか否かを判定する。
【００５６】
チューナＹに録画対象となる番組がある場合、チューナ変更部１４ｃはステップＳ１３１において、チューナＸを停止時間帯において停止させず、継続稼働させることを決定する。そして次に停止チューナを変更する際に、チューナＸを優先的に停止チューナとすることを定めた後、本処理を終了する。
【００５７】
チューナＹに録画対象となる番組がない場合、チューナ変更部１４ｃはステップＳ１４０において、チューナＹの受信担当チャンネルを、チューナＸが選局しているチャンネルに変更する。さらにチューナ変更部１４ｃはステップＳ１５０において、チューナＹで上記の番組を録画するよう、録画設定を変更する。
【００５８】
次にチューナ変更部１４ｃはステップＳ１６０において、停止チューナＸによる録画を停止する。次にチューナ変更部１４ｃはステップＳ１７０において、チューナＸの電源をＯＦＦにする。
【００５９】
次にチューナ監視部１４ｂはステップＳ１８０において、チューナＸの受信担当チャンネルに、録画対象となる番組が放送されるか否かを判定する。放送されない場合、再びステップＳ１８０へ移行し、監視を継続する。なおこの処理ループは、チューナを停止させる時間帯、例えば深夜時間帯が終了した時点で、自動的にループから抜けるようにする。
【００６０】
停止チューナＸの受信担当チャンネルに録画対象となる番組が放送される場合、チューナ変更部１４ｃはステップＳ１９０において、停止チューナＸを稼働させる。次にチューナ変更部１４ｃはステップＳ２００において、停止チューナＸによる録画を開始する。録画が開始されると、本処理を終了する。なおこの際、次に停止チューナを変更する際に、チューナＸを優先的に停止チューナとするように定めてもよい。
【００６１】
以上に説明した本実施形態によれば、複数チューナを用いて常時録画を行うデジタル放送受信装置において、停止チューナをローテーションにより順に変更する。さらに、各チューナの劣化度や受信内容を監視することにより、ローテーションにおける停止順を変更する。これにより、常時録画においてユーザの興味のある番組をできる限り録画しつつ、チューナの平滑磨耗を実現することができる。
【００６２】
また本実施形態によれば、ユーザの興味ある番組が少なく、定期的に装置のリセットを行う深夜の時間帯利用して停止を行う。これにより、常時録画の妨げとなるのをできる限り回避することができる。
［その他の実施の形態］
【００６３】
以上、好ましい実施の形態及び実施例をあげて本発明を説明したが、本発明は必ずしも上記実施の形態に限定されるものではなく、その技術的思想の範囲内において様々に変形して実施することができる。
【００６４】
従って本発明は、以下の形態にも適用可能である。
【００６５】
（Ａ）上記実施形態では、本発明のローテーション処理を実施するデジタル放送受信装置として、ＨＤＤレコーダ１００を例に説明しているが、これ以外のデジタル放送受信装置において実施する形態でもよい。例えば、複数のチューナを備えたテレビジョン装置やセットトップボックス等で実施する形態でもよい。
【００６６】
（Ｂ）上記実施形態では、本発明のローテーション処理に関わる各機能部が、マイクロプロセッサ等の演算処理装置上で所定のプログラムを実行することにより実現されているが、各種機能部が複数の回路により実現される形態でもよい。
【符号の説明】
【００６７】
１００    ＨＤＤレコーダ（デジタル放送受信装置）
１１      チューナ群（放送受信部）
１１ａ    第１チューナ
１１ｂ    第２チューナ
１１ｃ    第３チューナ
１２      復調部（放送受信部）
１３      操作入力部
１４      ＣＰＵ
１４ａ    サーチ部（選局制御部）
１４ｂ    チューナ監視部
１４ｃ    チューナ変更部
１５      ＲＡＭ
１６      ＲＯＭ
１７      ＨＤＤ
２１      オーディオフィルタ
２２      オーディオデコーダ
３１      ビデオフィルタ
３２      ビデオデコーダ
４１      データフィルタ
４２      データデコーダ
５１      出力部
【図１】
2014045362.tif 000003
【図２】
2014045362.tif 000004
【図３】
2014045362.tif 000005
【図４】
2014045362.tif 000006